(57)【特許請求の範囲】
【請求項１】
ケース本体と、前記ケース本体の上面から立設したボルトと、一端部にボルト挿通孔が設けられ、他端部に電線接続部が設けられ、前記ボルト挿通孔に前記ボルトが通されるとともに前記ボルトにナットが螺合されることにより前記ケース本体に固定される端子と、前記端子を取り付けたサイドカバーと、を備え、前記サイドカバーが前記ケース本体の側面に装着されることにより前記端子のボルト挿通孔に前記ボルトが通される電気接続箱において、
前記端子の外縁部に、凹状の切り欠きまたは凸状の突出部が設けられ、
前記サイドカバーに、前記切り欠き内に位置付けられる凸状または前記突出部を内側に位置付ける凹状に形成された位置ずれ規制部が設けられている
ことを特徴とする電気接続箱。
【請求項２】
前記端子の外縁部に、凹状の切り欠きが設けられ、
前記サイドカバーに、前記切り欠き内に位置付けられる凸状に形成された位置ずれ規制部と、前記位置ずれ規制部から突出し、先端が尖ったガタ詰め部と、が設けられ、
前記ガタ詰め部が前記切り欠きの内面に当接する
ことを特徴とする請求項１に記載の電気接続箱。
【請求項３】
前記端子の外縁部に、凸状の突出部が設けられ、
前記サイドカバーに、前記突出部を内側に位置付ける凹状に形成された位置ずれ規制部と、前記位置ずれ規制部の内面から突出し、先端が尖ったガタ詰め部と、が設けられ、
前記ガタ詰め部が前記突出部に当接する
ことを特徴とする請求項１に記載の電気接続箱。
【請求項４】
請求項１ないし請求項３のうちいずれか１項に記載の電気接続箱を構成する端子。
【請求項５】
請求項１ないし請求項３のうちいずれか１項に記載の電気接続箱を構成するサイドカバー。
【発明の詳細な説明】
【技術分野】
【０００１】
本発明は、自動車に搭載される電気接続箱と、該電気接続箱を構成する端子及びサイドカバーに関するものである。
【背景技術】
【０００２】
自動車には多種多様な電子機器が搭載されている。これら多種多様な電子機器に電力供給及び信号伝達を行うために、前記自動車には、適宜箇所に電気接続箱が配置されている（特許文献１を参照。）。
【０００３】
図７は従来の電気接続箱を示す斜視図である。この電気接続箱２０１は、ケース本体２０２と、ケース本体２０２の上面から立設したボルト３と、ケース本体２０２に組み付けられたバスバ７と、電源線８に接続された端子２０４と、端子２０４を取り付けたサイドカバー２０５と、を備えている。
【０００４】
上記ボルト３は、頭部がケース本体２０２に固定されており、軸部３２がバスバ７に設けられたボルト挿通孔７０を通された状態でケース本体２０２の上面から立設している。また軸部３２には、図示しないナットが螺合される。このボルト３は、バスバ７と該バスバ７に重ねられる端子２０４とをナットとの間に挟んでバスバ７と端子２０４とが電気接続された状態を維持するためのものである。
【０００５】
上記端子２０４は、金属板にプレス加工等が施されることにより得られるものであり、一端部にボルト挿通孔２４０が設けられ、他端部に電線接続部が設けられている。本明細書においては、端子２０４の一端部におけるボルト挿通孔２４０が設けられた平らな部分を「バスバ接続部」と呼び符号２４１を付す。バスバ接続部２４１は、上記バスバ７に重ねられて上記ボルト３及びナットによりケース本体２０２に固定される部分である。
【０００６】
上記サイドカバー２０５は、互いの間に端子２０４及び電源線８を挟む第１のカバー２０９と、第２のカバー２１０とで構成されている。また、図示例の電源線８はコルゲートチューブ６内に通されており、このコルゲートチューブ６も第１のカバー２０９と第２のカバー２１０との間に挟まれる。また、第１のカバー２０９には、ケース本体２０２の側面に装着されてケース本体２０２の外壁を構成するカバー本体２９０と、端子２０４の他端部側、電源線８の端部及びコルゲートチューブ６の端部を第２のカバー２１０との間に挟む挟持部２９１と、が設けられている。
【０００７】
この電気接続箱２０１においては、端子２０４を取り付けたサイドカバー２０５がボルト３の立設方向に沿って矢印Ｂ方向にケース本体２０２の側面に装着されることにより、端子２０４のボルト挿通孔２４０にボルト３が通される。また、該ボルト３にナットが螺合されることにより、端子２０４がケース本体２０２に固定されるとともに端子２０４とバスバ７との接続状態が維持される。
【先行技術文献】
【特許文献】
【０００８】
【特許文献１】特開２００８−１５４４１２号公報
【発明の概要】
【発明が解決しようとする課題】
【０００９】
しかしながら、上述した従来の電気接続箱２０１においては、サイドカバー２０５に取り付けられた端子２０４がその長手方向（矢印Ａ方向）に位置ずれしてしまい、サイドカバー２０５をケース本体２０２に装着する際にボルト挿通孔２４０にボルト３が通り難く作業性が悪いという問題があった。
【００１０】
したがって、本発明は、サイドカバーに取り付けられた端子の位置ずれを防止することで、該端子のボルト挿通孔にボルトを通す際の作業性を向上させることができる電気接続箱と、該電気接続箱を構成する端子及びサイドカバーを提供することを目的とする。
【課題を解決するための手段】
【００１１】
上記目的を達成するために請求項１に記載された発明は、ケース本体と、前記ケース本体の上面から立設したボルトと、一端部にボルト挿通孔が設けられ、他端部に電線接続部が設けられ、前記ボルト挿通孔に前記ボルトが通されるとともに前記ボルトにナットが螺合されることにより前記ケース本体に固定される端子と、前記端子を取り付けたサイドカバーと、を備え、前記サイドカバーが前記ケース本体の側面に装着されることにより前記端子のボルト挿通孔に前記ボルトが通される電気接続箱において、前記端子の外縁部に、凹状の切り欠きまたは凸状の突出部が設けられ、前記サイドカバーに、前記切り欠き内に位置付けられる凸状または前記突出部を内側に位置付ける凹状に形成された位置ずれ規制部が設けられていることを特徴とする電気接続箱である。
【００１２】
請求項２に記載された発明は、請求項１に記載された発明において、前記端子の外縁部に、凹状の切り欠きが設けられ、前記サイドカバーに、前記切り欠き内に位置付けられる凸状に形成された位置ずれ規制部と、前記位置ずれ規制部から突出し、先端が尖ったガタ詰め部と、が設けられ、前記ガタ詰め部が前記切り欠きの内面に当接することを特徴とするものである。
【００１３】
請求項３に記載された発明は、請求項１に記載された発明において、前記端子の外縁部に、凸状の突出部が設けられ、前記サイドカバーに、前記突出部を内側に位置付ける凹状に形成された位置ずれ規制部と、前記位置ずれ規制部の内面から突出し、先端が尖ったガタ詰め部と、が設けられ、前記ガタ詰め部が前記突出部に当接することを特徴とするものである。
【００１４】
請求項４に記載された発明は、請求項１ないし請求項３のうちいずれか１項に記載の電気接続箱を構成する端子である。
【００１５】
請求項５に記載された発明は、請求項１ないし請求項３のうちいずれか１項に記載の電気接続箱を構成するサイドカバーである。
【発明の効果】
【００１６】
請求項１に記載された発明によれば、前記端子の外縁部に、凹状の切り欠きまたは凸状の突出部が設けられ、前記サイドカバーに、前記切り欠き内に位置付けられる凸状または前記突出部を内側に位置付ける凹状に形成された位置ずれ規制部が設けられているので、サイドカバーに取り付けられた端子の位置ずれを防止することができ、そのために、端子のボルト挿通孔にボルトを通す際の作業性を向上させることができる電気接続箱を提供することができる。
【００１７】
請求項２に記載された発明によれば、前記端子の外縁部に、凹状の切り欠きが設けられ、前記サイドカバーに、前記切り欠き内に位置付けられる凸状に形成された位置ずれ規制部と、前記位置ずれ規制部から突出し、先端が尖ったガタ詰め部と、が設けられ、前記ガタ詰め部が前記切り欠きの内面に当接するので、サイドカバーに取り付けられた端子の位置ずれを防止することができるとともに端子をより正確な位置に位置決めすることができ、そのために、端子のボルト挿通孔にボルトを通す際の作業性をさらに向上させることができる電気接続箱を提供することができる。
【００１８】
請求項３に記載された発明によれば、前記端子の外縁部に、凸状の突出部が設けられ、前記サイドカバーに、前記突出部を内側に位置付ける凹状に形成された位置ずれ規制部と、前記位置ずれ規制部の内面から突出し、先端が尖ったガタ詰め部と、が設けられ、前記ガタ詰め部が前記突出部に当接するので、サイドカバーに取り付けられた端子の位置ずれを防止することができるとともに端子をより正確な位置に位置決めすることができ、そのために、端子のボルト挿通孔にボルトを通す際の作業性をさらに向上させることができる電気接続箱を提供することができる。
【図面の簡単な説明】
【００１９】
【図１】本発明の第１の実施形態にかかる電気接続箱を示す斜視図である。
【図２】図１に示されたサイドカバーの第１のカバー、及び端子の平面図である。
【図３】図２中のＣ部の拡大図である。
【図４】図２に示された第１のカバーの平面図である。
【図５】本発明の第２の実施形態にかかるサイドカバー及び端子を示す部分拡大図である。
【図６】本発明の第３の実施形態にかかるサイドカバー及び端子を示す部分拡大図である。
【図７】従来の電気接続箱を示す斜視図である。
【発明を実施するための形態】
【００２０】
（第１の実施形態）
本発明の第１の実施形態にかかる「電気接続箱」、及び、該電気接続箱を構成する「端子」、「サイドカバー」を図１〜４を参照して説明する。
【００２１】
本発明の電気接続箱１は、自動車に搭載されて、前記自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を、総称して以下電気接続箱と呼ぶ。
【００２２】
この電気接続箱１は、図１に示すように、ケース本体２と、ケース本体２に組み付けられたバスバ７と、ケース本体２の上面２ａから立設したボルト３と、電源線８に接続された端子４と、端子４を取り付けた状態でケース本体２の側面２ｃに装着されるサイドカバー５と、ケース本体２に取り付けられた図示しない複数の電子部品と、ケース本体２の上面２ａに装着される図示しないアッパーカバーと、を備えている。
【００２３】
上記ケース本体２は、合成樹脂で構成されている。このケース本体２の外壁２１におけるサイドカバー５が装着される部分には、切り欠き２１ａが設けられている。
【００２４】
上記バスバ７は、端子４と電気接続されることで入力された電力をリレー、ヒューズ、コネクタ等を介して複数の電線（不図示）に分岐する配線部材であり、金属板にプレス加工等が施されることにより得られるものである。このバスバ７には、端子４と電気接続される端子接続部７１、リレーと電気接続されるリレー接続部、ヒューズと電気接続されるヒューズ接続部等が設けられている。また、端子接続部７１は、板状に形成されており、ボルト挿通孔７０が設けられている。
【００２５】
上記ボルト３は、頭部がケース本体２に固定されており、軸部３２がバスバ７に設けられたボルト挿通孔７０を通された状態でケース本体２の上面２ａから立設している。また軸部３２には、図示しないナットが螺合される。このボルト３は、バスバ７と該バスバ７に重ねられる端子４とをナットとの間に挟んでバスバ７と端子４とが電気接続された状態を維持するためのものである。
【００２６】
上記電源線８は、バッテリ、オルタネータ等の電源から電気接続箱１のバスバ７に電力を供給する電線であり、芯線とこの芯線を被覆した絶縁外皮とで構成されている。また、本実施形態の電源線８はコルゲートチューブ６内に通されている。
【００２７】
上記端子４は、金属板にプレス加工等が施されることにより得られるものである。この端子４は、図２に示すように、一端部にボルト挿通孔４０が設けられ、他端部に電線接続部４３が設けられている。本明細書においては、端子４の一端部におけるボルト挿通孔４０が設けられた平らな部分を「バスバ接続部」と呼び符号４１を付す。バスバ接続部４１は、上記バスバ７の端子接続部７１に重ねられて上記ボルト３及びナットによりケース本体２に固定される部分である。電線接続部４３は、電源線８を表面に位置付ける板部４３ｃと、電源線８の芯線をかしめる一対の芯線かしめ片４３ａと、電源線８の絶縁外皮をかしめる一対の絶縁外皮かしめ片４３ｂと、で構成されている。また、本発明の端子４は、バスバ接続部４１の外縁部に、凹状の切り欠き４４が設けられている。また、本実施形態では、バスバ接続部４１の幅方向両縁に切り欠き４４が一対設けられている。
【００２８】
上記サイドカバー５は、互いの間に端子４の他端部側と電源線８及びコルゲートチューブ６を挟む第１のカバー９と、第２のカバー１０とで構成されている。これら第１のカバー９及び第２のカバー１０は、合成樹脂で構成されている。
【００２９】
上記第１のカバー９には、図４に示すように、上記切り欠き２１ａを塞ぐようにケース本体２の側面２ｃに装着されてケース本体２の外壁２１を構成するカバー本体９０と、端子４の他端部側、電源線８の端部及びコルゲートチューブ６の端部を第２のカバー１０との間に挟む挟持部９１と、端子４の切り欠き４４内に位置付けられる凸状の位置ずれ規制部９４と、位置ずれ規制部９４から突出し、先端が尖ったガタ詰め部９５と、が設けられている。
【００３０】
上記挟持部９１は、断面コ字状の樋状に形成されている。この挟持部９１の外面には、ロック部９２が複数設けられている。また、挟持部９１の内面には、コルゲートチューブ６の小径部（大径部と小径部とが交互に連続する蛇腹形状における小径部）に食い込んで該コルゲートチューブ６を位置決めするリブ９３が複数設けられている。
【００３１】
上記位置ずれ規制部９４は、一対設けられており、端子４の幅方向に互いに間隔をあけて配置されている。また、上記ガタ詰め部９５は、一対設けられており、各位置ずれ規制部９４から端子４の長手方向に突出している。このガタ詰め部９５は、平面視三角形状に形成されている。図２，３に示すように、位置ずれ規制部９４は、端子４の切り欠き４４内に位置付けられることにより、端子４をその幅方向及び長手方向（図２中の矢印Ａ方向）に位置決めする。また、ガタ詰め部９５は、切り欠き４４内に位置付けられて先端が潰れるように切り欠き４４の内面に当接することにより、端子４の長手方向（図２中の矢印Ａ方向）のガタを詰めて、該端子４をその長手方向に正確に位置決めする。
【００３２】
上記第２のカバー１０には、第１のカバー９の挟持部９１との間に端子４の他端部側、電源線８の端部及びコルゲートチューブ６の端部を挟む板状の挟持部１０ａと、第１のカバー９のロック部９２に係止するロック受け部１０ｂと、が設けられている。
【００３３】
このサイドカバー５に端子４を取り付ける際は、第１のカバー９と第２のカバー１０とを分離させた状態で、端子４、電源線８、コルゲートチューブ６を第１のカバー９内に収容し、第１のカバー９に第２のカバー１０を組み付けるようにして取り付ける。また、端子４、電源線８、コルゲートチューブ６を第１のカバー９内に収容する際は、各位置ずれ規制部９４及び各ガタ詰め部９５が各切り欠き４４内に位置付けられるように収容することで、端子４が第１のカバー９すなわちサイドカバー５に対して正確に位置決めされる。
【００３４】
また、端子４は、バスバ接続部４１における一対の切り欠き４４よりも電線接続部４３から離れた側の部分が、第１のカバー９と第２のカバー１０との間から突出してサイドカバー５外に位置付けられている。端子４の一対の切り欠き４４よりも電線接続部４３側の部分はサイドカバー５内に位置付けられている。
【００３５】
この電気接続箱１においては、図１中の矢印Ｂで示すように、端子４を取り付けたサイドカバー５がボルト３の立設方向に沿ってケース本体２の側面２ｃに装着されることにより、端子４のボルト挿通孔４０にボルト３の軸部３２が通され、端子接続部７１とバスバ接続部４１とが重ねられる。この作業の際は、上述したようにサイドカバー５に対して端子４が位置ずれすることがないので、ボルト挿通孔４０の位置がボルト３の軸部３２に対してずれることがなく、スムーズにボルト挿通孔４０に軸部３２が通される。また、該ボルト３にナットが螺合されることにより、端子４がケース本体２に固定されるとともに端子４とバスバ７との接続状態が維持される。
【００３６】
（第２の実施形態）
本発明の第２の実施形態にかかる「端子」及び「サイドカバー」を図５を参照して説明する。
【００３７】
第１の実施形態では、端子４に切り欠き４４が設けられ、サイドカバー５に凸状の位置ずれ規制部９４が設けられていたが、本実施形態では、端子４’の外縁部に、前記切り欠き４４の代わりに凸状の突出部４５が設けられ、サイドカバーを構成する第１のカバー９’に、突出部４５を内側に位置付ける凹状に形成された位置ずれ規制部９６が設けられている。
【００３８】
このように本発明では、サイドカバーに設けられる「位置ずれ規制部」が凸状でも凹状でも良い。同様に、端子には、凹状の切り欠き４４が設けられていても良く、凸状の突出部４５が設けられていても良い。すなわち、端子が「位置ずれ規制部」に噛み合う形状であれば良い。
【００３９】
（第３の実施形態）
本発明の第３の実施形態にかかる「端子」及び「サイドカバー」を図６を参照して説明する。
【００４０】
本実施形態では、第２の実施形態で説明した第１のカバー９’に、さらにガタ詰め部９５が設けられている。ガタ詰め部９５は、位置ずれ規制部９６の内面から突出しており、位置ずれ規制部９６の内側に位置付けられた突出部４５に当接することにより、端子４’の長手方向のガタを詰めて、該端子４’をその長手方向に正確に位置決めする。また、ガタ詰め部９５は、先端が尖った平面視三角形状に形成されており、その先端が潰れるように突出部４５に当接する。
【００４１】
このように、本発明では、「位置ずれ規制部」と合わせて「ガタ詰め部９５」が設けられている構成が最も好ましいが、この「ガタ詰め部９５」は必須の構成ではない。
【００４２】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４３】
１  電気接続箱
２  ケース本体
３  ボルト
４，４’  端子
５  サイドカバー
４０  ボルト挿通孔
４３  電線接続部
４４  切り欠き
４５  突出部
９４，９６  位置ずれ規制部
９５  ガタ詰め部
【図１】
0005928784.tif 000002
【図２】
0005928784.tif 000003
【図３】
0005928784.tif 000004
【図４】
0005928784.tif 000005
【図５】
0005928784.tif 000006
【図６】
0005928784.tif 000007
【図７】
0005928784.tif 000008